(57)【特許請求の範囲】
【請求項１】
エリア内の装置のグループに対するネットワークカバレッジを提供する方法であって、
第１のカバレッジ構成を提供することおよび第２のカバレッジ構成を提供することを含むカバレッジシーケンスを通じて経時的に循環することを含み、
前記第１のカバレッジ構成を提供することが、装置の前記グループに対するカバレッジを提供するように構成される第１のネットワークの第１のビームを送信することを含み、
前記第２のカバレッジ構成を提供することが、前記第１のビームよりも狭く、装置の前記グループの少なくとも１つの連続使用装置に対するカバレッジを提供するように構成される前記第１のネットワークの第２のビームを送信することであって、前記少なくとも１つの連続使用装置が、ネットワークとの間のほぼ連続的なサービスにアクティブに関係すること、および装置の前記グループの複数の間隔使用装置に対して第２のネットワークによってカバレッジを提供することを含む
方法。
【請求項２】
前記第２のカバレッジ構成を提供することが、前記少なくとも１つの連続使用装置の位置に少なくとも部分的に基づいて、前記第２のビームに関する送信の方向を求めることを含む請求項１に記載の方法。
【請求項３】
前記第１のネットワークの前記第２のビームがさらに、装置の前記グループの第２の連続使用装置に対するカバレッジを提供するように構成される請求項１に記載の方法。
【請求項４】
前記第２のカバレッジ構成を提供することの後続の反復が、第２の連続使用装置に対するカバレッジを提供するように構成された前記第１のネットワークの前記第２のビームを送信することを含み、前記少なくとも１つの連続使用装置が、間隔使用装置となるように遷移している請求項１に記載の方法。
【請求項５】
前記第１のネットワークと前記第２のネットワークが異なるネットワークタイプである請求項１に記載の方法。
【請求項６】
前記第１のネットワークおよび前記第２のネットワークが、前記第１のネットワークが第３世代モバイル（３Ｇ）ネットワークであり、前記第２のネットワークがＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークであること、前記第１のネットワークが第４世代モバイル（４Ｇ）ネットワークであり、前記第２のネットワークがＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークであること、前記第１のネットワークがＬｏｎｇ  Ｔｅｒｍ  Ｅｖｏｌｕｔｉｏｎ（ＬＴＥ）ネットワークであり、前記第２のネットワークがＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークであること、前記第１のネットワークがＥｖｏｌｕｔｉｏｎ−Ｄａｔａ  Ｏｐｔｉｍｉｚｅｄ（ＥＶ−ＤＯ）ネットワークであり、前記第２のネットワークが符号分割多元接続（ＣＤＭＡ）ネットワークであること、前記第１のネットワークが第４世代モバイル（４Ｇ）ネットワークであり、前記第２のネットワークが第３世代モバイル（３Ｇ）ネットワークであること、前記第１のネットワークがデータネットワークであり、前記第２のネットワークが音声ネットワークであること、または前記第１のネットワークがデータネットワークであり、前記第２のネットワークが音声およびデータ混合ネットワークであることのうちの少なくとも１つを含む請求項５に記載の方法。
【請求項７】
前記第１のネットワークと前記第２のネットワークが同一のネットワークタイプであり、前記少なくとも１つの連続使用装置が、承認制御パラメータに基づいて前記第２のビームへのアクセスが許可される請求項１に記載の方法。
【請求項８】
前記第１のカバレッジ構成が第１の持続時間にわたって提供され、前記第２のカバレッジ構成が、前記第１の持続時間よりも長い第２の持続時間にわたって提供される請求項１に記載の方法。
【請求項９】
前記第１の持続時間が約２から５分の範囲内にあり、前記第２の持続時間が約２から１０秒の範囲内にある請求項８に記載の方法。
【請求項１０】
前記少なくとも１つの連続使用装置が、音声呼、ダウンロード、またはコンテンツストリーミングのうちの少なくとも１つに携わる請求項１に記載の方法。
【請求項１１】
前記複数の間隔使用装置が、第２のカバレッジ構成中にデータ更新を延期およびバッチ処理し、前記第１のカバレッジ構成中に前記データ更新を受信する請求項１に記載の方法。
【請求項１２】
前記第２のビームが、水平面または垂直面の少なくとも一方で前記第１のビームよりも狭い請求項１に記載の方法。
【請求項１３】
前記第１のビームが約１２度の幅であり、前記第２のビームが約１度の幅である請求項１に記載の方法。
【請求項１４】
エリア内の装置のグループに対するネットワークカバレッジを提供する方法であって、
第１のカバレッジ構成を提供すること、第２のカバレッジ構成を提供すること、および第３のカバレッジ構成を提供することを含むカバレッジシーケンスを通じて経時的に循環することを含み、
前記第１のカバレッジ構成を提供することが、装置の前記グループの第１のセットに対するカバレッジを提供するように構成される第１のネットワークの第１のビームを送信すること、および装置の前記グループの少なくとも第２のセットに対して第２のネットワークによってカバレッジを提供することを含み、
前記第２のカバレッジ構成を提供することが、装置の前記グループの前記第２のセットに対するカバレッジを提供するように構成される前記第１のネットワークの第２のビームを送信すること、および装置の前記グループの少なくとも前記第１のセットに対して前記第２のネットワークによってカバレッジを提供することを含み、
前記第３のカバレッジ構成を提供することが、前記第１のビームよりも狭く、装置の前記グループの少なくとも１つの連続使用装置に対するカバレッジを提供するように構成される前記第１のネットワークの第３のビームを送信することであって、前記少なくとも１つの連続使用装置が、ネットワークとの間のほぼ連続的なサービスにアクティブに関係すること、および前記グループの複数の間隔使用装置に対して前記第２のネットワークによってカバレッジを提供することを含む
方法。
【請求項１５】
前記第１のネットワークおよび前記第２のネットワークが、前記第１のネットワークが第３世代モバイル（３Ｇ）ネットワークであり、前記第２のネットワークがＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークであること、前記第１のネットワークが第４世代モバイル（４Ｇ）ネットワークであり、前記第２のネットワークがＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークであること、前記第１のネットワークがＬｏｎｇ  Ｔｅｒｍ  Ｅｖｏｌｕｔｉｏｎ（ＬＴＥ）ネットワークであり、前記第２のネットワークがＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークであること、前記第１のネットワークがＥｖｏｌｕｔｉｏｎ−Ｄａｔａ  Ｏｐｔｉｍｉｚｅｄ（ＥＶ−ＤＯ）ネットワークであり、前記第２のネットワークが符号分割多元接続（ＣＤＭＡ）ネットワークであること、前記第１のネットワークが第４世代モバイル（４Ｇ）ネットワークであり、前記第２のネットワークが第３世代モバイル（３Ｇ）ネットワークであること、前記第１のネットワークがデータネットワークであり、前記第２のネットワークが音声ネットワークであること、または前記第１のネットワークがデータネットワークであり、前記第２のネットワークが音声およびデータ混合ネットワークであることのうちの少なくとも１つを含む請求項１４に記載の方法。
【請求項１６】
前記第１のネットワークの前記第３のビームがさらに、装置の前記グループの第２の連続使用装置に対するカバレッジを提供するように構成される請求項１４に記載の方法。
【請求項１７】
命令を含むコンピュータプログラムであって、前記命令は、実行されたときに、装置に、
第１のカバレッジ構成を提供することおよび第２のカバレッジ構成を提供することを含むカバレッジシーケンスを通じて経時的に循環することにより、ネットワークカバレッジを提供させ、
前記第１のカバレッジ構成を提供することが、装置のグループに対するカバレッジを提供するように構成される第１のネットワークの第１のビームを送信することを含み、
前記第２のカバレッジ構成を提供することが、前記第１のビームよりも狭く、装置の前記グループの少なくとも１つの連続使用装置に対するカバレッジを提供するように構成される前記第１のネットワークの第２のビームを送信することであって、前記少なくとも１つの連続使用装置が、ネットワークとの間のほぼ連続的なサービスにアクティブに関係すること、および装置の前記グループの複数の間隔使用装置に対して第２のネットワークによってカバレッジを提供することを含む
、コンピュータプログラム。
【請求項１８】
前記第１のネットワークと前記第２のネットワークが同一のネットワークタイプであり、前記少なくとも１つの連続使用装置が、承認制御パラメータに基づいて前記第２のビームへのアクセスが許可される請求項１７に記載のコンピュータプログラム。
【請求項１９】
前記第１のカバレッジ構成が第１の持続時間にわたって提供され、前記第２のビーム形状が、前記第１の持続時間よりも短い第２の持続時間にわたって提供される請求項１７に記載のコンピュータプログラム。
【請求項２０】
装置であって、
命令がその中に格納されたコンピュータ読み取り可能な記録媒体と、前記命令を実行するために前記コンピュータ読み取り可能な記録媒体に結合されたプロセッサと、アダプティブアンテナと
を備え、
前記命令は、実行されたときに、前記装置に、
第１のカバレッジ構成を提供することおよび第２のカバレッジ構成を提供することを含むカバレッジシーケンスを通じて経時的に循環することにより、ネットワークカバレッジを提供させ、
前記第１のカバレッジ構成を提供することが、装置のグループに対するカバレッジを提供するように構成される第１のネットワークの第１のビームを送信することを含み、
前記第２のカバレッジ構成を提供することが、前記第１のビームよりも狭く、装置の前記グループの少なくとも１つの連続使用装置に対するカバレッジを提供するように構成される前記第１のネットワークの第２のビームを送信することであって、前記少なくとも１つの連続使用装置が、ネットワークとの間のほぼ連続的なサービスにアクティブに関係すること、および装置の前記グループの複数の間隔使用装置に対して第２のネットワークによってカバレッジを提供することを含み、
前記アダプティブアンテナは、前記第１のビームおよび前記第２のビームを送信するように構成される、
装置。
【請求項２１】
前記第１のネットワークと前記第２のネットワークが同一のネットワークタイプであり、前記少なくとも１つの連続使用装置が、承認制御パラメータに基づいて前記第２のビームへのアクセスが許可され、前記アダプティブアンテナがさらに、前記第２のネットワークの第３のビームを送信するように構成される請求項２０に記載の装置。
【請求項２２】
前記第２のネットワークの第３のビームを提供するように構成された第２のアンテナ
をさらに備える請求項２０に記載の装置。
【請求項２３】
前記装置が、携帯電話、スマートフォン、ラップトップコンピュータ、ネットブック装置、タブレット装置、または携帯情報端末のうちの少なくとも１つを含む請求項１１に記載の方法。
【請求項２４】
前記データ更新が、Ｅメール更新、Ｒｅａｌｌｙ  Ｓｉｍｐｌｅ  Ｓｙｎｄｉｃａｔｉｏｎ（ＲＳＳ）フィード更新、ソーシャルネットワーキング更新、ソフトウェア更新、地図更新、またはゲームに関する更新のうちの少なくとも１つを含む請求項１１に記載の方法。
【請求項２５】
装置のグループのすべての装置に対するカバレッジを提供するように構成される第１のネットワークタイプの第１のビームを含む第１のカバレッジ構成を提供すること、および
前記第１のビームよりも高い搬送波信号出力を有し、装置の前記グループの装置の第１のセットに対するカバレッジを提供するように構成される前記第１のネットワークタイプの第２のビームを含む第２のカバレッジ構成を提供することであって、装置の前記第１のセットが、ほぼ連続的なサービスに属する少なくとも１つの連続使用装置を含み、装置の前記グループの装置の第２のセットに対する第２のネットワークタイプによるカバレッジをさらに含み、装置の前記第２のセットが、ほぼ連続的なサービスに属さない少なくとも１つの間隔使用装置を含むこと
の少なくとも２つを含むカバレッジ構成を通じて遷移すること
を含み、
カバレッジ構成を通じて前記遷移することが、前記第１のカバレッジ構成の提供と、前記第２のカバレッジ構成の提供の前記少なくとも２つを含むカバレッジ構成シーケンスを通じて循環することを含む、方法。
【請求項２６】
カバレッジ構成を通じて前記遷移することが、前記第１のカバレッジ構成の提供と前記第２のカバレッジ構成の提供との間で交替することをさらに含む請求項２５に記載の方法。
【請求項２７】
前記少なくとも１つの連続使用装置が単一の連続使用装置である請求項２５に記載の方法。
【請求項２８】
装置の前記第１のセットに対するカバレッジと、装置の前記第２のセットに対するカバレッジとが、重複するネットワークによって提供される請求項２５に記載の方法。
【請求項２９】
装置の前記第１のセットに対するカバレッジと、装置の前記第２のセットに対するカバレッジとが、別々の重複しないネットワークによって提供される請求項２５に記載の方法。
【請求項３０】
前記少なくとも１つの間隔使用装置が、連続的なサービスを開始するように構成された間隔使用装置を含む請求項２５に記載の方法。
【請求項３１】
前記少なくとも１つの間隔使用装置が、連続的なサービスの開始を受信することに基づいて、間隔使用から連続使用に状態を変更するように構成された間隔使用装置を含む請求項２５に記載の方法。
【請求項３２】
支持構造と、
前記支持構造によって支持されるネットワークカバレッジプロバイダであって、
第１のネットワークタイプの第１のビームを含む第１のカバレッジ構成が、装置のグループのすべての装置に対するカバレッジを提供するように構成され、前記第１のビームよりも高い搬送波信号出力を有する前記第１のネットワークタイプの第２のビームを含む第２のカバレッジ構成が、装置の前記グループの装置の第１のセットに対するカバレッジを提供するように構成されたアンテナ構成であって、装置の前記第１のセットが、ほぼ連続的なサービスに属する少なくとも１つの連続使用装置を含み、装置の前記グループの装置の第２のセットに対する第２のネットワークタイプによるカバレッジをさらに提供し、装置の前記第２のセットが、ほぼ連続的なサービスに属さない少なくとも１つの間隔使用装置を含むアンテナ構成
を含むネットワークカバレッジプロバイダと
を備え、
前記ネットワークカバレッジプロバイダが、前記第１のカバレッジ構成の提供と、前記第２のカバレッジ構成の提供とを含むカバレッジ構成シーケンスを通じて循環することを提供する、装置。
【請求項３３】
前記アンテナ構成が、装置の前記グループのすべての装置に対する前記第１のカバレッジ構成の前記カバレッジ、および装置の前記グループの装置の前記第１のセットに対する前記第２のカバレッジ構成の前記カバレッジを提供するように構成された第１のアンテナと、装置の前記グループの装置の前記第２のセットに対する前記第２のカバレッジ構成の前記カバレッジを提供するように構成された第２のアンテナとを含む請求項３２に記載の装置。
【請求項３４】
前記アンテナ構成が、装置の前記グループのすべての装置に対する前記第１のカバレッジ構成の前記カバレッジと、装置の前記グループの装置の前記第１のセットに対する前記第２のカバレッジ構成の前記カバレッジと、装置の前記グループの装置の前記第２のセットに対する前記第２のカバレッジ構成の前記カバレッジとを提供するように構成されたアンテナを含む請求項３２に記載の装置。
【請求項３５】
前記支持構造が通信タワーを含む請求項３２に記載の装置。
【請求項３６】
装置のグループに関する第１のカバレッジ構成に対するネットワークカバレッジを提供する機能であって、装置の前記グループのすべての装置に対するカバレッジを提供するように構成される第１のネットワークタイプの第１のビームを送信することを含む機能と、
ほぼ連続的なサービスに属する少なくとも１つの連続使用装置を含む、装置の前記グループの装置の第１のセットに関する第２のカバレッジ構成に対するネットワークカバレッジを提供する機能であって、前記第１のビームよりも高い信号出力を有する前記第１のネットワークタイプの第２のビームを送信することを含む機能と、
ほぼ連続的なサービスに属さない少なくとも１つの間隔使用装置を含む、装置の前記グループの装置の第２のセットに対するネットワークカバレッジを提供する機能であって、装置の前記グループの装置の前記第２のセットに対する第２のネットワークタイプによる前記ネットワークカバレッジを提供するように構成される前記第２のビームを送信することを含む機能と、
前記第１のカバレッジ構成に対する前記ネットワークカバレッジの提供と、前記第２のカバレッジ構成に対する前記ネットワークカバレッジの提供の少なくとも２つを通じて遷移する機能と
をコンピューティング装置に実施させるように前記コンピューティング装置によって実行可能な命令を含み、
前記遷移が、前記第１のカバレッジ構成の提供と、前記第２のカバレッジ構成の提供との前記少なくとも２つを含むカバレッジ構成シーケンスを通じて少なくとも循環することを含む、コンピュータプログラム。
【請求項３７】
前記命令が、前記第１のカバレッジ構成との提供と前記第２のカバレッジ構成の提供との間で少なくとも交替することによってカバレッジ構成を通じて遷移することを前記コンピューティング装置に実施させるように前記コンピューティング装置によってさらに実行可能である請求項３６に記載のコンピュータプログラム。
【請求項３８】
前記少なくとも１つの連続使用装置が単一の連続使用装置である請求項３６に記載のコンピュータプログラム。
【請求項３９】
前記命令が、重複するネットワークによる、装置の前記第１のセットに関する前記第２のカバレッジ構成に対する前記ネットワークカバレッジの提供と、装置の前記第２のセットに関する前記第２のカバレッジ構成に対する前記ネットワークカバレッジの提供とを前記コンピューティング装置に実施させるように前記コンピューティング装置によってさらに実行可能である請求項３６に記載のコンピュータプログラム。
【請求項４０】
前記命令が、別々の重複しないネットワークによる、装置の前記第１のセットに関する前記第２のカバレッジ構成に対する前記ネットワークカバレッジの提供と、装置の前記第２のセットに関する前記第２のカバレッジ構成に対する前記ネットワークカバレッジの提供とを前記コンピューティング装置に実施させるように前記コンピューティング装置によってさらに実行可能である請求項３６に記載のコンピュータプログラム。
【請求項４１】
前記少なくとも１つの間隔使用装置が、連続的なサービスを開始するように構成された間隔使用装置を含む請求項３６に記載のコンピュータプログラム。
【請求項４２】
前記少なくとも１つの間隔使用装置が、連続的なサービスの開始を受信することに基づいて、間隔使用から連続使用に状態を変更するように構成された間隔使用装置を含む請求項３６に記載のコンピュータプログラム。
【発明の詳細な説明】
【背景技術】
【０００１】
本明細書に別段に規定されていない限り、本節で説明する手法は、本願の特許請求の範囲に対する従来技術ではなく、本節に含まれることによって従来技術となることは認められない。
【０００２】
一般には、ワイヤレス通信ネットワークは、電話機能とデータ機能のどちらも含む装置によって占められつつある可能性がある。いくつかのワイヤレス通信ネットワークでは、ワイドビーム構成が、エリア（またはセクタ）内のすべての装置に対するカバレッジを提供することができる。そのような構成は、アクティブな装置と非アクティブな装置のどちらにも比較的低出力のビームを提供することができる。
【発明の概要】
【０００３】
本開示は、装置のグループに対するネットワークカバレッジを提供する例示的方法を説明する。例示的方法は、第１のカバレッジ構成を提供すること、および第２のカバレッジ構成を提供することを含むカバレッジシーケンスを通じて経時的に循環すること（cycling over time）を含むことができる。第１のカバレッジ構成を提供することは、装置のグループに対するカバレッジを提供するように構成することのできる第１のネットワークの第１のビームを送信することを含むことができる。第２のカバレッジ構成を提供することは、第１のビームよりも狭くてよく、装置のグループの少なくとも１つの連続使用装置（continuous use device）に対するカバレッジを提供するように構成することのできる第１のネットワークの第２のビームを送信すること、および装置のグループの複数の間隔使用装置（interval use device）に対するカバレッジを第２のネットワークによって提供することを含むことができる。
【０００４】
他の例示的方法は、第１のカバレッジ構成を提供すること、第２のカバレッジ構成を提供すること、および第３のカバレッジ構成を提供することを含むカバレッジシーケンスを通じて経時的に循環することを含むことができる。第１のカバレッジ構成を提供することは、装置のグループの第１のセットに対するカバレッジを提供するように構成することのできる第１のネットワークの第１のビームを送信すること、および装置のグループの少なくとも第２のセットに対するカバレッジを第２のネットワークによって提供することを含むことができる。第２のネットワークカバレッジ構成を提供することは、装置のグループの第２のセットに対するカバレッジを提供するように構成することのできる第１のネットワークの第２のビームを送信すること、および装置のグループの少なくとも第１のセットに対するカバレッジを第２のネットワークによって提供することを含むことができる。第３のカバレッジ構成を提供することは、第１のビームよりも狭くてよく、装置のグループの少なくとも１つの連続使用装置に対するカバレッジを提供するように構成することのできる第１のネットワークの第３のビームを送信すること、およびグループの少なくとも複数の間隔使用装置に対するカバレッジを第２のネットワークによって提供することを含むことができる。
【０００５】
本開示はまた、命令がその中に格納された例示的機械可読非一時的媒体を説明しており、命令は、実行されたときに、装置に、第１のカバレッジ構成を提供することおよび第２のカバレッジ構成を提供することを含むカバレッジシーケンスを通じて経時的に循環することによってネットワークカバレッジを提供させる。第１のカバレッジ構成を提供することは、装置のグループに対するカバレッジを提供するように構成することのできる第１のネットワークの第１のビームを送信することを含むことができる。第２のカバレッジ構成を提供することは、第１のビームよりも狭くてよく、装置のグループの少なくとも１つの連続使用装置に対するカバレッジを提供するように構成することのできる第１のネットワークの第２のビームを送信すること、および装置のグループの複数の間隔使用装置に対するカバレッジを第２のネットワークによって提供することを含むことができる。
【０００６】
本開示はまた、例示的装置を説明する。いくつかの例示的装置は、アダプティブアンテナと、プロセッサと、命令がその中に格納された機械可読媒体とを含むことができ、命令は、プロセッサにより実行されたときに、装置に、第１のカバレッジ構成を提供することおよび第２のカバレッジ構成を提供することを含むカバレッジシーケンスを通じて経時的に循環することによってネットワークカバレッジを提供させる。第１のカバレッジ構成を提供することは、装置のグループに対するカバレッジを提供するように構成することのできる第１のネットワークの第１のビームを送信することを含むことができる。第２のカバレッジ構成を提供することは、第１のビームよりも狭くてよく、装置のグループの少なくとも１つの連続使用装置に対するカバレッジを提供するように構成することのできる第１のネットワークの第２のビームを送信すること、および装置のグループの複数の間隔使用装置に対するカバレッジを第２のネットワークによって提供することを含むことができる。
【０００７】
上記の概要は例示的なものに過ぎないことがあり、いかなる形でも限定を意図するものではないことがある。上述の例示的態様、実施形態、および特徴に加えて、図面および以下の詳細な説明を参照することにより、別の態様、実施形態、および特徴が明らかとなるであろう。
【０００８】
本明細書の最終部分で、主題が具体的に指摘され、明確に特許請求される。添付の図面と共に行われる以下の説明および添付の特許請求の範囲から、本開示の上記および他の特徴がより完全に明らかとなるであろう。これらの図面は本開示によるいくつかの実施形態のみを示し、したがってその範囲の限定とみなすべきではないことを理解して、添付の図面を使用することにより、本開示をさらに具体的かつ詳細に説明する。
【図面の簡単な説明】
【０００９】
【図１Ａ】本開示の少なくともいくつかの実施形態に従って構成された、例示的ネットワーク構成のブロック図である。
【図１Ｂ】本開示の少なくともいくつかの実施形態に従って構成された、例示的ネットワーク構成のブロック図である。
【図２】本開示の少なくともいくつかの実施形態に従って構成された、装置のグループに対するネットワークカバレッジを提供する例示的方法の流れ図である。
【図３】本開示の少なくともいくつかの実施形態に従って構成された、装置がデータ更新を受信するための例示的方法の流れ図である。
【図４Ａ】本開示の少なくともいくつかの実施形態に従って構成された、例示的ネットワーク構成のブロック図である。
【図４Ｂ】本開示の少なくともいくつかの実施形態に従って構成された、例示的ネットワーク構成のブロック図である。
【図４Ｃ】本開示の少なくともいくつかの実施形態に従って構成された、例示的ネットワーク構成のブロック図である。
【図５】本開示の少なくともいくつかの実施形態に従って構成された、装置のグループに対するネットワークカバレッジを提供する例示的方法の流れ図である。
【図６】本開示の少なくともいくつかの実施形態に従って構成された、例示的コンピュータプログラム製品の図である。
【図７】本開示の少なくともいくつかの実施形態に従って構成された、例示的コンピューティングデバイスのブロック図である。
【発明を実施するための形態】
【００１０】
本明細書の最終部分で、主題が具体的に指摘され、明確に特許請求される。添付の図面と共に行われる以下の説明および添付の特許請求の範囲から、本開示の上記および他の特徴がより完全に明らかとなるであろう。これらの図面は本開示によるいくつかの実施形態のみを示し、したがってその範囲の限定とみなすべきではないことを理解して、添付の図面を使用することにより、本開示をさらに具体的かつ詳細に説明する。
【００１１】
以下の説明は、特許請求される主題の完全な理解を与えるために、様々な例を特定の詳細と共に述べる。しかし、本明細書で開示される特定の詳細のいくつかまたはそれ以上を伴わずに、特許請求される主題を実施できることを当業者は理解されよう。さらに、ある状況では、特許請求される主題を不必要に不明瞭にすることを避けるために、周知の方法、手順、システム、構成要素、および／または回路を詳細には説明していない。
【００１２】
以下の詳細な説明では、本明細書の一部を形成する添付の図面に対して参照を行う。図面では、文脈が別段に規定しない限り、同様の記号は同様の構成要素を特定する。詳細な説明、図面、および特許請求の範囲で説明する例示的実施形態は、限定を意味するのではない。ここで提示する主題の精神または範囲から逸脱することなく、他の実施形態を利用することができ、他の変更を行うことができる。本明細書で全般的に説明し、図で図示する本開示の態様を、多種多様な異なる構成として配置、置換、結合、および設計することができ、そのすべてが明示的に企図され、本開示の一部となる。
【００１３】
本開示は、とりわけ、エリア内の装置のグループに対するネットワークカバレッジを提供することに関する方法、装置、システム、およびコンピュータ可読媒体に関連する。
【００１４】
いくつかの実施形態では、カバレッジシーケンスを通じて経時的に循環することによってネットワークカバレッジを提供することができる。様々な例では、カバレッジシーケンスは、２つ以上のカバレッジ構成を含むことができる。例えば、第１のカバレッジ構成は、エリアまたはセクタ内のすべての装置に対するカバレッジを提供することができるように比較的広くてよいビームを含むことができる。それによってビームは、第１のタイプのネットワークにより、すべての装置に対するカバレッジを提供することができる。第２のカバレッジ構成は、エリア内の１つまたは複数の連続使用装置に対するカバレッジを第１のネットワークタイプにより提供することができるように比較的狭くてよいビームを含むことができる。連続使用装置は、ネットワークとの間でほぼ連続的なサービスにアクティブに関係することのできる装置を含むことができる。ほぼ連続的なサービスは一般に、例えば音声呼、ダウンロード、コンテンツストリーミングなどの任意のタイプのほぼ連続的なサービスを含むことができる。第２のカバレッジ構成はまた、非連続使用装置でよい装置を含むことができる、エリア内の間隔使用装置に対するネットワークの第２のタイプによるカバレッジをも含むことができる。一般には、第１のタイプのネットワークは、第２のタイプのネットワークよりも能力のあるネットワークでよい。上述のように、カバレッジシーケンスを通じて経時的に循環することにより、ネットワークカバレッジを提供することができ、論じる例では、カバレッジシーケンスを通じて経時的に循環することは、第１と第２のカバレッジ構成の間で交替することを含むことができる。
【００１５】
そのような実施形態はいつかの利点を有することができる。例えば、連続使用装置（複数可）では、より狭いビームは、第２のカバレッジ構成中に、より高い信号出力を装置に供給することができる。ナロービームは、実質上はワイドビームよりも高い出力を有するからである。搬送波信号でより高い出力を連続使用装置に供給することにより、装置は、帯域幅を向上させることができ、著しく低い電力で動作することができる。装置の受信機増幅器電力をより低いレベルに引き下げることができるからである。さらに、フォーカスは実質的に対称的でよいので、装置はさらに、より低い電力で動作することできる。装置送信機をより低いレベルに引き下げることができるからである。間隔使用装置には、（呼を受信し、もしくは行い、またはダウンロードを開始するときなどに装置が連続使用装置となる必要があることがある場合に必要となるように）ネットワークカバレッジを常に提供することができる。さらに、間隔使用装置の一部またはすべてが、例えば、ソーシャルネットワーキングアプリケーション、Ｅメール、Ｒｅａｌｌｙ  Ｓｉｍｐｌｅ  Ｓｙｎｄｉｃａｔｉｏｎ（ＲＳＳ）フィード、地図更新、ゲームの更新、スポーツスコア更新などの断続的更新を必要とするアプリケーションを有することがある。論じるように、第２のカバレッジ構成中に、間隔使用装置は、より能力の低いネットワーク上にあることがある。間隔使用装置では、断続的更新を必要とするアプリケーションによる要求が延期および／またはバッチ処理され、より能力の低いネットワークによるカバレッジ中に送られないことがある。次いで、より能力の高いネットワークによってカバーされるときの第１のカバレッジ構成中に、断続的更新を必要とする間隔使用装置は、そうしたアプリケーションに関するデータダウンロードを要求および／または受信することができる。
【００１６】
したがって、本明細書で論じる例は、カバレッジ構成中に、より能力の高いネットワークによるナロービームカバレッジを連続使用装置に提供し、より能力の低いネットワークによるカバレッジを間隔使用装置に提供することができる。そのような構成の後、カバレッジは、より能力の高いネットワークのワイドビームによる連続使用装置および間隔使用装置のためのカバレッジを提供する別のカバレッジ構成に交替することができる。連続使用装置は、より能力の高いネットワーク上にとどまることができ、ナロービームによる比較的高い出力のカバレッジと、ワイドビームによる比較的低い出力のカバレッジとの間で交替する。間隔使用装置は、（例えば、テキストメッセージングなどのより有用なサービスを提供することができ、装置を連続使用装置にするサービス開始を検出することのできる）より能力の低いネットワークによるカバレッジと、（断続的アプリケーションに関する更新およびデータダウンロードのための機会を提供することのできる）より能力の高いネットワークのワイドビームによるカバレッジとの間で交替することができる。
【００１７】
図１Ａおよび１Ｂは、それぞれ、本開示の少なくともいくつかの実施形態に従って構成された例示的ネットワークカバレッジ１００および例示的ネットワークカバレッジ１５０のブロック図である。図１Ａに示すように、ネットワークカバレッジ１００は、タワー１２５上に取り付けることのできるアンテナ１２０によって送信されるビーム形状１３０を含むことができる。ビーム形状１３０は、連続使用装置１０１、および間隔使用装置１０２、１０３、１０４、１０５、１０６のためのネットワークカバレッジを提供することができる。いくつかの例では、ビーム形状１３０は、エリア内のすべての装置に対する第１のネットワークタイプのワイドビームカバレッジを提供することができる。
【００１８】
図１Ｂに示すように、ネットワークカバレッジ１５０は、連続使用装置１０１のためのネットワークカバレッジを提供することのできる、アンテナ１２０によって供給されるビーム形状１６０を含むことができ、間隔使用装置１０２、１０３、１０４、１０５、１０６にネットワークカバレッジ１７０を提供することができる。いくつかの例では、ビーム形状１６０は、連続使用装置１０１に対する第１のネットワークタイプのナロービームカバレッジを提供することができ、ネットワークカバレッジ１７０は第２のネットワークタイプでよく、間隔使用装置１０２、１０３、１０４、１０５、１０６に対して提供されることができる。いくつかの例では、ビーム形状１６０によって提供することができるネットワークカバレッジと重複することができる重複ネットワークによってネットワークカバレッジ１７０を提供することができる。一般には、間隔使用装置は、連続使用装置ではないエリア内のすべての装置を含むことができる。いくつかの例では、間隔使用装置は、断続的更新を必要とするアプリケーションを有することがある。いくつかの例では、間隔使用装置は、そのようなアプリケーションを含まないことがある。いくつかの例では、ビーム形状１６０は、間隔使用装置１０２、１０３、１０４、１０５、１０６に対するカバレッジを提供しないことがある。
【００１９】
一般には、アンテナ１２０は、ビーム形状１３０およびビーム形状１６０を供給することのできる適切なアンテナを含むことができる。いくつかの例では、アンテナ１２０は、アクティブビーム形成機能を有するアダプティブアンテナを含むことができる。一般には、ビーム形成は指向性信号送信を含むことができる。いくつかの例では、形成されるビーム形状を画定することのできる、アンテナ１２０に対するアダプティブビーム形状パラメータを供給することのできるコントローラ、コンピュータ、図７に関して以下で論じる装置などの制御装置により、アンテナ１２０を制御することができる。いくつかの例では、ビーム形状パラメータを供給するための制御は、制御装置のソフトウェア、制御装置のファームウェア、または制御装置のハードウェアで与えることができる。いくつかの例では、制御装置のビーム管理ソフトウェアで制御を与えることができる。
【００２０】
いくつかの例では、以下でさらに論じるように、第１のネットワークタイプは、第２のネットワークタイプより能力の高いネットワークでよい。様々な例では、アンテナ１２０、タワー１２５の異なるアンテナ、または異なるタワーに取り付けられた異なるアンテナによってネットワークカバレッジ１７０を提供することができる。いくつかの例では、ネットワークカバレッジ１７０は、間隔使用装置のみに対してカバレッジを提供することができる。いくつかの例では、ネットワークカバレッジ１７０は、連続使用装置および間隔使用装置を含むすべての装置に対してカバレッジを提供することができる。
【００２１】
図示するように、エリア内では、１つまたは複数の装置が連続使用装置でよく、１つまたは複数の装置が間隔使用装置でよい。一般には、連続使用装置は、例えば、音声呼、ダウンロード、コンテンツストリーミングなどのほぼ連続的なサービスに従事することのできる装置を含むことができる。間隔使用装置は、ほぼ連続的なサービスに現在従事することができない装置を含むことができる。理解するであろうが、間隔使用装置は、呼を発信し、または受信し、連続的サービスを開始し、テキストメッセージを作成または受信することなどを行うことがあるので、依然としてネットワークカバレッジを必要とすることがある。図示するように、いくつかの例では、ただ１つの連続使用装置がエリア内にあることがある。一般には、任意の数の連続使用装置があることがあり、装置は、ユーザアクション、または装置が連続的サービスの開始を受信することに基づいて、連続的使用と間隔使用との間で状態を変更することができる。
【００２２】
本明細書で論じるように、ネットワークカバレッジ１００およびネットワークカバレッジ１５０を含むカバレッジシーケンスを通じて経時的に循環することにより、エリア内の装置に対してネットワークカバレッジを提供することができる。そのような循環方法は、ほぼ静的なカバレッジ方法に勝る多数の利点をもたらすことができる。いくつかの例では、装置は、信号が装置で辛うじて受信可能となるまで電力を引き下げることができるように、受信した信号の電力に基づいて受信機増幅器電力を変更することができる。そのような方法は、装置が比較的少量の電力を使用して信号を受信することを可能にすることができる。理解するであろうが、アンテナ１２０によって送られるワイド信号は、ナロー信号よりも低い電力を有する。いくつかの例では、送信される信号の電力は、信号の角度（幅）に反比例することができる。例えば、２度にわたって送られる信号は、１２度にわたって送られる信号よりも６倍強力であることがある。
【００２３】
連続使用装置１０１について、ネットワークカバレッジ１００とネットワークカバレッジ１５０との間で循環することにより、高帯域幅、電力使用量の低減、および／または電池寿命の向上をもたらすことができる。いくつかの例では、ネットワークカバレッジ１５０中に、連続使用装置１０１は、ビーム形状１６０によってカバーされるとき、より高い帯域幅またはより信頼性の高い信号を受信することができる。いくつかの例では、ネットワークカバレッジ１５０中に、ビーム形状１６０の電力は、連続使用装置１１０がアンテナ１２０から信号を受信する際にかなり低い電力を使用することを可能にすることができる。いくつかの例では、連続使用装置１０１に関する利点がかなりのものとなるように、ネットワークカバレッジ１００よりも長い持続時間にわたってネットワークカバレッジ１５０を維持することができる。例えば、ビーム形状１６０中の送信および受信のための電力需要がＡであり、ビーム形状１３０中の送信および受信のための電力需要がＢであり、ビーム形状１６０で費やされる時間の割合がｐである場合、装置１０１での電力需要Ｄは以下でよい。
Ｄ＝ｐＡ＋（１−ｐ）Ｂ  （１）
式（１）は、ｐが増加するにつれてＡに近づくことがある。一例では、サイクルが５分かかり、２９２秒間、ビーム形状１６０にあり、８秒間ビーム形状１３０にあってよく、したがってｐが９７．３％でよく、ＡがＢの２０％でよい。そのような例では、ビーム形状１３０、１６０の間の記載の循環方法を使用する装置が必要とする電力は、ビーム形状１３０によって継続的にカバーされる装置と比べて、全電力を４．８６分の１に低減することができる。そのような電力使用量の節約により、装置の電池寿命をかなり延ばすことができる。
【００２４】
いくつかの例では、送信ビーム形状１６０の方向は、連続使用装置１０１の位置に基づくことができる。一般には、任意の適切な技法（複数可）を使用して、装置を連続使用装置として特徴付けることができる。いくつかの例では、アンテナ１２０を使用可能な基地局を通じて来るトラフィックを特徴付けることにより、装置を連続的使用として特徴付けることができる。いくつかの例では、エリア内の各装置についてのトラフィックを比較して、どの装置が（それが存在する場合）連続使用装置である可能性があるかを判定することができる。いくつかの例では、最大かつ最も永続的なトラフィックが、連続使用装置を特徴付けることができる。いくつかの例では、装置は、連続的使用表示、間隔使用表示などの、装置を特徴付ける表示を提供することができる。例えば全地球測位方法、三角測量法、装置追跡方法などの任意の適切な技法を使用して、連続使用装置１０１の位置を求めることができる。本明細書で論じるように、いくつかの例では、複数の装置が連続的使用中であることがある。いくつかの例では、ビーム形状１６０がすべての連続使用装置を包含することができるようにビーム形状１６０を提供することができる。いくつかの例では、ビーム形状１６０は、単一の連続使用装置または連続使用装置のグループのどちらかにサービスする複数の有向ナロービームを含むことができる。
【００２５】
間隔使用装置１０２、１０３、１０４、１０５、１０６では、ネットワークカバレッジ１００とネットワークカバレッジ１５０の間の循環は、サービスに悪影響を及ぼさないことができる。一般には、間隔使用装置は、装置がより能力の高いネットワークによってカバーすることができるときにサービスを実施することができるように延期および／またはバッチ処理することのできる様々なサービスを必要とすることがあり、装置がより能力の低いネットワークによってカバーすることができるときにサービスを延期することができる。例えば、間隔使用装置は、ネットワークカバレッジ１５０中に断続的アプリケーションに対するデータ更新を受信しないことがある。ネットワークカバレッジ１５０中に、間隔使用装置は、自身がより能力の低いネットワークによってカバーされ得ること、および間隔サービスのためのデータを求める要求を行うことができないことを、識別することができる。
【００２６】
一般には、装置に対して連続的サービスを必要としないことがある任意のサービスを、間隔使用装置として分類および管理することができる。いくつかの例では、間隔サービスは、ソーシャルネットワーキングアプリケーション、Ｅメール、Ｒｅａｌｌｙ  Ｓｉｍｐｌｅ  Ｓｙｎｄｉｃａｔｉｏｎ（ＲＳＳ）フィード、地図更新、ゲーム更新、スポーツスコア更新などを含むことができる。そのような例では、間隔使用装置は、データ更新、フィードなどを待機することができる。ネットワークカバレッジ１００中に、間隔使用装置は、より能力の高いネットワークによってカバーされ得、ネットワークカバレッジ１５０中に延期および／またはバッチ処理されたデータを、要求およびダウンロードすることができる。本明細書で論じるように、いくつかの例では、連続使用装置（複数可）がかなり低い電力を使用することの利点を有することができるように、ネットワークカバレッジ１５０よりも短い持続時間にわたってネットワークカバレッジ１００を維持することができる。そのような例では、短い持続時間のネットワークカバレッジ１００は、間隔使用装置が要求したダウンロードのほぼすべてまたは大部分を受信する機会を提供することができる。そうした要求は、より能力の高いネットワークにとって比較的小さく、または少ないことがあるからである。
【００２７】
図１Ａおよび１Ｂに示すように、いくつかの例では、ビーム形状１６０は、ビーム形状１３０よりも狭いことがある。いくつかの例では、ビーム形状１６０は、ほぼ水平な向きでビーム形状１３０よりも狭いことがある。いくつかの例では、ビーム形状１６０は、ほぼ垂直な向きでビーム形状１３０よりも狭いことがある。いくつかの例では、ビーム形状１６０は、ほぼ水平な向きとほぼ垂直な向きのどちらでもビーム形状１３０よりも狭いことがある。本明細書で論じるように、より狭いビームは、ビームの幅に反比例してより高い電力を供給することができる。２つの方向（例えば、水平および垂直）でより狭いことがあるビームでは、より狭いビームは、水平方向のビームの幅に反比例して、かつ垂直方向のビームの幅に反比例してより高い電力を供給することができる。一般には、ビーム形状１３０の幅（または角度）は、任意の適切な幅を含むことができる。いくつかの例では、ビーム形状１３０の幅は、約９０度から１８０度の範囲内にあることがある。いくつかの例では、ビーム形状１３０の幅は、約３０度から９０度の範囲内にあることがある。いくつかの例では、ビーム形状１３０の幅は、約１０度から３０度の範囲内にあることがある。
【００２８】
一般には、ビーム形状１６０の幅（または角度）は、ビーム形状１３０よりも狭くなることがあるような任意の適切な幅であることがある。いくつかの例では、ビーム形状１６０の幅は、約１度から３度の範囲内にあることがある。いくつかの例では、ビーム形状１６０の幅は、約３度から１０度の範囲内にあることがある。いくつかの例では、ビーム形状１６０の幅は、約１０度から２０度の範囲内にあることがある。本明細書で論じるように、様々な例では、連続使用装置の数は変化することがあり、ビーム形状１６０の幅は、単一の連続使用装置または複数の連続使用装置をカバーするように変化することがある。そのような例では、ビーム形状１６０の幅は、連続使用装置が密接にクラスタ化されることがあるときにより狭い形状を使用することができ、一方、連続使用装置が異なるクラスタにクラスタ化される（disparately cluster）ことがあるときにより広い形状を使用することができるように、連続使用装置の位置に部分的に基づくことがある。さらに本明細書で論じるように、いくつかの例では、複数のナロービーム形状によって複数の連続使用装置をカバーすることができる。そのような例では、複数のビームはそれぞれ、１つまたは複数の連続使用装置をカバーすることができ、同様に、ナロービーム形状の幅は、連続使用装置（複数可）の数および／またはクラスタ化に依存することがある。
【００２９】
いくつかの例では、タワー１２５および／またはアンテナ１２０によって複数のエリアまたはセクタにサービスすることができる。例えば、アンテナ１２０の周りの３６０度を、例えば１０から３０セクタなどのエリアまたはセクタに分割することができる。そのような例では、１つのカバレッジ構成中にビーム形状１３０と類似のビーム形状によって各エリアまたはセクタをカバーすることができ、連続使用装置にサービスするナロービームと、間隔使用装置のためのより能力の低いネットワークによるカバレッジとを含む構成によってエリアまたはセクタをカバーすることができる。一般には、各エリアまたはセクタは、本明細書で論じる循環ビーム適応方法を利用することができる。いくつかの例では、各セクタについてのビームサイクルは、ほぼ整合する位相を有することがある。いくつかの例では、各セクタについてのビームサイクルは、位相が一致しないことがある。そのようなセクタベースの例では、セクタの様々なエリアが連続使用装置の多数または異なるクラスタを有するときに、そうしたエリアをカバーするナロービームを含む、エリアをカバーするための様々な適応構成を提供することができる。
【００３０】
図２は、本開示の少なくともいくつかの実施形態に従って構成された、エリア内の装置のグループに対するネットワークカバレッジを提供する例示的方法２００の流れ図である。方法２００、および本明細書で説明する他の方法および技法は、ハードウェア、ソフトウェア、および／またはファームウェアによって実施することができる処理ステップ、機能動作、イベント、および／または行為などとして説明されることのある様々な機能ブロックまたはアクションを記述する。図２に示す機能ブロックに対する多数の代替を様々な実装で実施することができる。例えば、特許請求される主題の範囲から逸脱することなく、図２に図示していない介在アクション、および／または図２に図示していない追加のアクションを利用することができ、かつ／または図２に示すアクションの一部を省略することができる。方法２００は、ブロック２１０および／または２２０のうちの１つまたは複数によって示される機能動作のうちの１つまたは複数を含むことができる。
【００３１】
図２に示すように、方法２００のプロセスは、第１のカバレッジ構成を提供することおよび第２のカバレッジ構成を提供することを含むカバレッジシーケンスを通じて経時的に循環することができる。ブロック２１０「装置のグループに対するカバレッジを提供するためにより能力の高いネットワークのワイドビームを送信することによって第１のカバレッジ構成を提供する」で、記載された第１のカバレッジ構成を提供することができる。プロセスはブロック２２０に進むことができる。ブロック２２０「連続使用装置に対するカバレッジを提供するためにより能力の高いネットワークのナロービームを送信することと、間隔使用装置に対してより能力の低いネットワークによるカバレッジを提供することとによって、第２のカバレッジを提供する」で、記載された第２のカバレッジ構成を提供することができる。図示するように、カバレッジシーケンスはブロック２１０に進むことができ、第１のカバレッジ構成と第２のカバレッジ構成との間で経時的に引き続き循環することができる。
【００３２】
いくつかの例では、第１のカバレッジ構成は、図１Ａに示すネットワークカバレッジ１００でよく、第２のカバレッジ構成は、図１Ｂに示すネットワークカバレッジ１５０でよい。論じるように、より能力の高いネットワークタイプのワイドビームを有するカバレッジ構成と、連続的装置（複数可）にサービスするナロービーム、および間隔使用装置をカバーするより能力の低いネットワークを有するカバレッジ構成とを、経時的に循環させることができる。一般には、任意の適切な持続時間にわたってカバレッジ構成をそれぞれ維持することができる。いくつかの例では、連続的装置（複数可）にサービスするナロービーム、および間隔使用装置をカバーするより能力の低いネットワークを有する第２の構成の持続時間よりも短いことのある持続時間にわたって、より能力の高いネットワーク構成のワイドビームを有する第１の構成を提供することができる。
【００３３】
一般には、任意の適切な持続時間にわたって第１の構成および第２の構成を提供することができる。いくつかの例では、約２から１０秒の範囲内の持続時間にわたって第１の構成を提供することができる。いくつかの例では、約１から５秒の範囲内の持続時間にわたって第１の構成を提供することができる。いくつかの例では、約７から１５秒の範囲内の持続時間にわたって第１の構成を提供することができる。いくつかの例では、約２から５分の範囲内の持続時間にわたって第２の構成を提供することができる。いくつかの例では、約１から３分の範囲内の持続時間にわたって第２の構成を提供することができる。いくつかの例では、約４から８分の範囲内の持続時間にわたって第２の構成を提供することができる。
【００３４】
いくつかの例では、持続時間がほぼ一定のままとなるように、同一の持続時間を使用して構成を経時的に循環させることができる。いくつかの例では、経時的に変化する持続時間を使用して構成を循環させることができる。例えばエリア内の装置数、連続使用装置の数、間隔使用装置の数、間隔使用装置に対する連続使用装置の比、装置のタイプ、間隔装置によって要求されるデータのタイプまたは量などの要素に基づいて、サイクル持続時間を変更することができる。
【００３５】
論じるように、いくつかの例では、より能力の高いネットワークおよびより能力の低いネットワークを提供することができる。一般には、より能力の高いネットワークは、より高いアップリンクおよび／またはダウンリンク速度を実現することができ、より安定することができ、より最新の規格とすることなどができる。一般には、任意の組合せのネットワークタイプを提供することができる。いくつかの例では、より能力の高いネットワークはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）ネットワークでよい。いくつかの例では、より能力の高いネットワークは第３世代モバイル（３Ｇ）ネットワークでよく、より能力の低いネットワークはＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークでよい。いくつかの例では、より能力の高いネットワークは第４世代モバイル（４Ｇ）ネットワークでよく、より能力の低いネットワークはＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークでよい。いくつかの例では、より能力の高いネットワークはＬｏｎｇ  Ｔｅｒｍ  Ｅｖｏｌｕｔｉｏｎ（ＬＴＥ）ネットワークでよく、より能力の低いネットワークはＥｎｈａｎｃｅｄ  Ｄａｔａ  Ｒａｔｅｓ  ｆｏｒ  Ｇｌｏｂａｌ  Ｅｖｏｌｕｔｉｏｎ（ＥＤＧＥ）ネットワークでよい。いくつかの例では、より能力の低いネットワークは第３世代モバイル（３Ｇ）ネットワークでよい。いくつかの例では、より能力の低いネットワークは第３世代モバイル（３Ｇ）ネットワークでよく、より能力の高いネットワークはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）ネットワークでよい。いくつかの例では、より能力の低いネットワークは第３世代モバイル（３Ｇ）ネットワークでよく、より能力の高いネットワークは第４世代モバイル（４Ｇ）ネットワークでよい。いくつかの例では、より能力の高いネットワークはＥｖｏｌｕｔｉｏｎ−Ｄａｔａ  Ｏｐｔｉｍｉｚｅｄ（ＥＶ−ＤＯ）ネットワークでよく、より能力の低いネットワークは符号分割多元接続（ＣＤＭＡ）ネットワークでよい。いくつかの例では、より能力の高いネットワークはデータネットワークでよく、より能力の低いネットワークは音声ネットワークでよい。いくつかの例では、より能力の高いネットワークはデータネットワークでよく、より能力の低いネットワークは音声およびデータ混合ネットワークでよい。いくつかの例では、ネットワークは同一のタイプでよい。そのような例では、連続使用装置だけに対して承認を与えることができるように、承認制御パラメータに基づいて、連続使用装置（複数可）がより能力の高いネットワークにアクセスすることを許可することができる。
【００３６】
論じるように、方法２００が続行するときに、様々な装置が、連続的使用から間隔使用に、または間隔使用から連続的使用に状態を変更することができる。いくつかの例では、ブロック２２０のカバレッジ構成を提供する後続の反復は、より能力の高いネットワークのナロービームを送信して、以前は間隔使用装置であった可能性のある連続使用装置に対するカバレッジを提供することを含むことができる。いくつかの例では、どの装置も現在は連続使用装置ではないことがある。そのような例では、方法は、より能力の高いネットワークによってすべての装置をカバーすることができるように、ブロック２１０のネットワークカバレッジを維持することができる。そのような例では、装置は、断続的データアプリケーションに対するより頻繁な更新を受信することができ、データ要求が延期および／またはバッチ処理されないことがある。一般には、本明細書で論じるように、任意の適切なコントローラまたはコンピューティングデバイスによってそのような構成適応を実装することができる。
【００３７】
任意の適切なアンテナ、アンテナアレイ、アダプティブアンテナなどによって本明細書で論じるビーム形状を実現することができる。任意の適切な技法を使用してアンテナ（複数可）を制御することができる。本明細書で論じるように、いくつかの例では、様々なカバレッジ構成中に、複数のネットワークを提供することができる。任意の適切なアンテナおよび／またはタワー構成を使用して、複数のネットワークを提供することができる。任意の適切な技法を使用してネットワークを制御することができる。いくつかの例では、より能力の低いネットワークは、本明細書で論じる様々な構成で使用すべき（ネットワークによって既に実装されているもの以外）制御技法を必要としないことがあるほぼ静的なネットワークでよい。
【００３８】
図３は、本開示の少なくともいくつかの実施形態に従って構成された、間隔使用装置がデータ更新を受信するための例示的方法３００の流れ図である。方法３００は、本明細書で論じる任意の適切な装置のハードウェア、ソフトウェア、および／またはファームウェアによって実施することができる。いくつかの例では、特許請求される主題の範囲から逸脱することなく、図３には図示していない介在アクション、および／または図３には図示していない追加のアクションを利用することができる。方法３００は、ブロック３１０、３２０、３３０のうちの１つまたは複数によって示される機能動作のうちの１つまたは複数を含むことができる。方法３００は、図１Ａ、１Ｂ、および２に関して論じたようなものや、図４Ａ、４Ｂ、４Ｃ、および５に関して論じるようなものなどの、本明細書で論じるネットワークカバレッジシーケンスのいずれかで実施することができる。方法３００のプロセスはブロック３１０で開始することができる。
【００３９】
ブロック３１０「より能力の低いネットワークによるカバレッジ中のデータ更新を延期する」で、間隔使用装置は、より能力の低いネットワークによってカバーされる間、断続的使用アプリケーションに関するデータ更新を延期することができる。論じるように、いくつかの例では、断続的使用アプリケーションは、例えばソーシャルネットワーキングアプリケーション、Ｅメール、Ｒｅａｌｌｙ  Ｓｉｍｐｌｅ  Ｓｙｎｄｉｃａｔｉｏｎ（ＲＳＳ）フィード、地図更新、ゲーム更新、スポーツスコア更新などの、連続的サービスまたはデータへの迅速なアクセスを必要としない任意のアプリケーションを含むことができる。間隔使用装置は、例えば携帯電話、スマートフォン、ラップトップコンピュータ、ネットブック装置、タブレット装置、携帯情報端末、マシンツーマシン（Ｍ２Ｍ）データシステムなどの任意の適切な装置でよい。
【００４０】
いくつかの例では、より能力の低いネットワークによるカバレッジ中に、断続的使用アプリケーションまたは間隔使用装置のオペレーティングシステムは、装置がより能力の低いネットワークによってカバーされることがあるときに更新要求を許可しないことがある。そのような例では、装置は、装置がカバーされる可能性があるネットワークのタイプを識別することができ、装置は、しきい値品質未満のネットワークによるカバレッジであると判定した場合、更新なしフラグなどをセットすることができる。より能力の低いネットワークは、本明細書で論じるもののいずれかを含む任意の適切なタイプでよい。いくつかの例では、より能力の低いネットワークによるカバレッジ中に、間隔使用装置はスリープモードでよい。そのような例では、装置がスリープモードにある可能性がある間、またはコマンドをユーザ入力によって行うことができるまで、装置は、更新を行うことができないようにフラグをセットすることができる。ユーザによってスリープ解除されるとき、例えば、装置は、装置がカバーされる可能性があるネットワークのタイプを判定し、上記で論じたように更新要求を行うことができるかどうかを判定することができる。
【００４１】
いくつかの例では、間隔使用装置のオペレーティングシステムは、いくつかの断続的使用アプリケーションから更新要求を収集し、それを１つまたは複数の更新要求としてバッチ処理することができる。いくつかの例では、断続的使用アプリケーションまたは間隔使用装置のオペレーティングシステムは、装置がスリープ解除状態にある可能性があるときにのみ、データ更新要求を許可することができる。いくつかの例では、データ更新要求を延期および／またはバッチ処理することは、本明細書で論じる方法の実装が装置ユーザのためのアプリケーションの機能に悪影響を与えることがないように、断続的アプリケーション開発者のベストプラクティスと一致することができる。方法３００のプロセスはブロック３２０に進む。
【００４２】
ブロック３２０「より能力の高いネットワークによるカバレッジ中に更新要求を送信する」で、間隔使用装置は、より能力の高いネットワークによるカバレッジを検出することができ、更新要求を送信することができる。一般には、更新要求は、例えば、ネットワークを介してサーバに更新要求を通信する任意の適切な送信でよい。いくつかの例では、更新要求は、単一のアプリケーションに対する更新要求を含むことができる。いくつかの例では、更新要求は、複数のアプリケーションに対する更新要求を含むことのできるバッチ処理される要求を含むことができる。方法３００のプロセスはブロック３３０に進むことができる。
【００４３】
ブロック３３０「より能力の高いネットワークによるカバレッジ中にデータ更新を受信する」で、間隔使用装置は、送信されるデータ更新要求に応答して、ネットワークを介してデータ更新を受信することができる。一般には、任意の適切な技法（複数可）を使用してデータ更新を受信することができる。いくつかの例では、データ更新は単一のアプリケーションに関するものでよい。いくつかの例では、データ更新は、複数のアプリケーションに関するものでよい。いくつかの例では、間隔使用装置で複数のデータ要求を受信することができる。図が見やすいように図３では図示していないが、より能力の高いネットワークによってカバーされる間、間隔使用装置は、ブロック３３０でデータ更新を受信したことに続いて、１つまたは複数の追加のデータ更新要求を送ることができる。図示するように、方法３００のプロセスはブロック３１０に進むことができ、本明細書で論じるようにネットワーク構成を循環させるときに、ブロック３１０、３２０、３３０を通じて循環することができる。
【００４４】
いくつかの例では、論じるカバレッジ構成を通じて経時的に循環する効果は、間隔使用装置がより能力の低いネットワークによるカバレッジ中に更新を延期し、より能力の高いネットワークのワイドビームによってカバーされるときに更新を要求するように、スマート装置を含む間隔使用装置を、同期される更新パターンに押し込む効果を有することができる。
【００４５】
図４Ａ、４Ｂ、および４Ｃは、それぞれ例示的ネットワークカバレッジ４１０、例示的ネットワークカバレッジ４２０、および例示的ネットワークカバレッジ４３０のブロック図である。図４Ａに示すように、ネットワークカバレッジ４１０は、連続使用装置１０１および間隔使用装置１０２、１０３、１０４に対するネットワークカバレッジを提供することのできるタワー１２５上に取り付けられたアンテナ１２０によって送信されるビーム形状４４０と、間隔使用装置１０５、１０６に対して提供することのできるネットワークカバレッジ４９０とを含むことができる。いくつかの例では、ビーム形状４４０は、エリア内の装置のグループに対して第１のネットワークタイプの比較的広いビームカバレッジを提供することができ、ネットワークカバレッジ４９０は第２のネットワークタイプでよい。いくつかの例では、連続使用装置１０１および間隔使用装置１０２、１０３、１０４は、エリア内のすべての装置の第１のグループまたは集合でよい。いくつかの例では、本明細書で論じるように、第１のネットワークタイプは、より能力の高いネットワークでよく、第２のネットワークは、より能力の低いネットワークタイプでよい。
【００４６】
図４Ｂに示すように、ネットワークカバレッジ４２０は、連続使用装置１０１および間隔使用装置１０５、１０６に対するネットワークカバレッジを提供することのできるアンテナ１２０によって供給されるビーム形状４５０と、間隔使用装置１０２、１０３、１０４に対して提供することのできるネットワークカバレッジ４９０とを含むことができる。いくつかの例では、ビーム形状４５０は、エリア内の装置のグループに対して第１のネットワークタイプの比較的広いビームカバレッジを提供することができる。いくつかの例では、装置１０５、１０６は、エリア内のすべての装置の第２のグループまたは集合でよい。図４Ａおよび４Ｂに示すように、いくつかの例では、ビーム形状４４０は、エリア内の装置の第１のグループに対してネットワークカバレッジを提供することができ、ビーム形状４５０は、エリア内の装置の第２のグループに対してネットワークカバレッジを提供することができ、したがって第１のグループおよび第２のグループは、エリア内のすべての装置を構成する。いくつかの例では、第１のネットワークタイプによって連続使用装置（複数可）を継続的にカバーすることができるように、両方のビーム形状に連続使用装置（複数可）を含めることができる。図示するように、いくつかの例では、ビーム形状４４０およびビーム形状４５０は、ほぼ同じ幅（または角度）でよい。別の例では、ビーム形状４４０とビーム形状４５０は異なるものでよい。
【００４７】
図４Ｃに示すように、ネットワークカバレッジ４３０は、連続使用装置１０１に対するネットワークカバレッジを提供することができるアンテナ１２０によって供給されるビーム形状４６０と、間隔使用装置１０２、１０３、１０４、１０５、１０６に対して提供することのできるネットワークカバレッジ４９０とを含むことができる。いくつかの例では、ビーム形状４６０は、連続使用装置１０１に対する第１のネットワークタイプのナロービームカバレッジを提供することができ、ネットワークカバレッジ４９０は、間隔使用装置１０２、１０３、１０４、１０５、１０６に対する第２のネットワークタイプのカバレッジを提供することができる。いくつかの例では、ビーム形状４４０、４５０、４６０によって提供することができるネットワークカバレッジと重複することができる重複ネットワークによってネットワークカバレッジ４９０を提供することができる。一般には、連続使用装置および間隔使用装置は、本明細書で論じる装置、アプリケーション、または特徴のいずれかを含むことができる。論じるように、ビーム形状４４０、４５０、４６０のネットワークタイプは、より能力の高いネットワークでよく、本明細書で論じるように、ネットワークカバレッジ４９０は、より能力の低いネットワークタイプでよい。より能力の高いネットワークおよびより能力の低いネットワークは、本明細書で論じるもののいずれかを含む、任意の適切なネットワークタイプでよい。
【００４８】
様々な例では、アンテナ１２０、タワー１２５、およびアンテナに結合された任意の制御装置は、本明細書で論じるような特徴およびタイプのいずれかを含むことができる。本明細書で論じるように、いくつかの例では、タワー１２５および／またはアンテナによって複数のエリアまたはセクタをカバーすることができる。そのような例では、ネットワークカバレッジ４１０、４２０、４３０のようなネットワークカバレッジ構成によってセクタのうちの１つまたは複数をカバーすることができる。さらに、ビーム形状４４０、４５０、４６０は、本明細書で、具体的には上記の図１Ａおよび１Ｂに関して論じるもののいずれかを含むことができる。一般には、ビーム形状４４０、４５０の幅は、任意の適切な幅を含むことができる。いくつかの例では、ビーム形状４４０、４５０の幅は、約４５度から９０度の範囲内でよい。いくつかの例では、ビーム形状４４０、４５０の幅は、約１５度から４５度の範囲内でよい。いくつかの例では、ビーム形状４４０、４５０の幅は、約５度から１５度の範囲内でよい。論じるように、いくつかの例では、ビーム形状４４０、４５０は同一の幅でよいが、別の例では異なるものでよい。いくつかの例では、ビーム形状４４０、４５０は、それぞれがエリア内の連続使用装置をカバーするように構築することができる。
【００４９】
一般には、ビーム形状４６０は、ビーム形状４４０またはビーム形状４５０の一方よりも狭くすることができるような任意の適切な幅でよい。いくつかの例では、ビーム形状４６０の幅は、約１度から３度の範囲内でよい。いくつかの例では、ビーム形状４６０の幅は、約３度から１０度の範囲内でよい。いくつかの例では、ビーム形状４６０の幅は、約１０度から２０度の範囲内でよい。本明細書で論じるように、様々な例では、連続使用装置の数は変化することがあり、ビーム形状４６０の幅は、単一の連続使用装置または複数の連続使用装置をカバーするように変化することがある。そのような例では、ビーム形状４６０の幅は、連続使用装置が密接にクラスタ化されることがあるときにより狭い形状を使用することができ、一方、連続使用装置が異なるクラスタにクラスタ化されることがあるときにより広い形状を使用することができるように、連続使用装置の位置に部分的に基づくことがある。さらに本明細書で論じるように、いくつかの例では、複数のナロービーム形状によって複数の連続使用装置をカバーすることができる。そのような例では、複数のビームはそれぞれ、１つまたは複数の連続使用装置をカバーすることができ、同様に、ナロービーム形状の幅は、連続使用装置（複数可）の数および／またはクラスタ化に依存することがある。
【００５０】
図５は、本開示の少なくともいくつかの実施形態に従って構成された、エリア内の装置のグループに対するネットワークカバレッジを提供する例示的方法５００の流れ図である。方法５００は、ハードウェア、ソフトウェア、および／またはファームウェアによって実施することができる処理ステップ、機能動作、イベント、および／または行為などとして説明されることのある様々な機能ブロックまたはアクションを記述する。いくつかの例では、特許請求される主題の範囲から逸脱することなく、図５に図示していない介在アクションを利用することができる。方法５００は、ブロック５１０、５２０、および／または５３０のうちの１つまたは複数によって示される機能動作のうちの１つまたは複数を含むことができる。図５に示すように、方法５００のプロセスは、第１、第２、および第３のカバレッジ構成を提供することを含むカバレッジシーケンスを通じて経時的に循環することができる。方法５００のプロセスはブロック５１０で開始することができる。
【００５１】
ブロック５１０「装置の第１のグループに対するカバレッジを提供するためにより能力の高いネットワークのワイドビームを送信することと、間隔使用装置に対してより能力の低いネットワークによるカバレッジを提供することとによって、第１のカバレッジ構成を提供する」で、記載された第１の構成を提供することができる。いくつかの例では、第１の構成は、図４Ａで示すネットワークカバレッジ４１０でよい。方法５００のプロセスは、ブロック５２０に進むことができる。
【００５２】
ブロック５２０「装置の第２のグループに対するカバレッジを提供するためにより能力の高いネットワークのワイドビームを送信することと、間隔使用装置に対してより能力の低いネットワークによるカバレッジを提供することとによって、第２のカバレッジ構成を提供する」で、記載された第２の構成を提供することができる。いくつかの例では、第２の構成は、図４Ｂに示すネットワークカバレッジ４２０でよい。方法５００のプロセスはブロック５３０に進むことができる。
【００５３】
ブロック５３０「連続使用装置に対するカバレッジを提供するためにより能力の高いネットワークのナロービームを送信することと、間隔使用装置に対してより能力の低いネットワークによるカバレッジを提供することとによって、第３のカバレッジ構成を提供する」で、記載された第３の構成を提供することができる。いくつかの例では、第３の構成は、図４Ｃに示すネットワークカバレッジ４３０でよい。図５に示すように、方法５００のプロセスは、再びブロック５１０に循環することによって続行することができ、プロセスは、経時的にブロック５１０、５２０、および５３０を通じて引き続き循環することができる。
【００５４】
論じるように、ネットワークカバレッジ４１０、４２０、４３０を経時的に循環することができる。一般には、任意の適切な持続時間にわたってカバレッジ構成をそれぞれ維持することができる。いくつかの例では、ネットワークカバレッジ４３０の持続時間よりも短いことのある持続時間にわたって、ネットワークカバレッジ４１０およびネットワークカバレッジ４２０を提供することができる。いくつかの例では、約２から１０秒の範囲内内の持続時間にわたってネットワークカバレッジ４１０、４２０を提供することができる。いくつかの例では、約１から５秒の範囲内の持続時間にわたってネットワークカバレッジ４１０、４２０を提供することができる。いくつかの例では、約７から１５秒の範囲内の持続時間にわたってネットワークカバレッジ４１０、４２０を提供することができる。いくつかの例では、約２から５分の範囲内の持続時間にわたってネットワークカバレッジ４３０を提供することができる。いくつかの例では、約１から３分の範囲内の持続時間にわたってネットワークカバレッジ４３０を提供することができる。いくつかの例では、約４から８分の範囲内の持続時間にわたってネットワークカバレッジ４３０を提供することができる。
【００５５】
いくつかの例では、持続時間がほぼ一定のままとなるように、同一の持続時間を使用して構成を経時的に循環させることができる。いくつかの例では、経時的に変化する持続時間を使用して構成を循環させることができる。例えばエリア内の装置数、連続使用装置の数、間隔使用装置の数、間隔使用装置に対する連続使用装置の比などの要素に基づいて、サイクル持続時間を変更することができる。
【００５６】
論じるように、いくつかの例では、ネットワークカバレッジ４１０、４２０、４３０を経時的に循環させることができる。いくつかの例では、（ネットワークカバレッジ４３０を使用することなく）ネットワークカバレッジ４１０、４２０を経時的に循環させることができる。そのような例は、本明細書で論じる電力節約を実現することができ、実装の単純さを実現することができる。そのような例は、例えば連続的使用ユーザ１０１などの連続的使用ユーザに対する重複するカバレッジエリアを有するビーム形状４４０およびビーム形状４５０を提供することができる。そのような例は、第１のカバレッジ構成および第２のカバレッジ構成を含むことのできるカバレッジシーケンスを通じて経時的に循環することを含むことができる。第１のカバレッジ構成を提供することは、より能力の高いネットワークのビームを送信して装置の第１のグループに対するカバレッジを提供すること、および間隔使用装置に対するより能力の低いネットワークのカバレッジを提供することを含むことができる。第２のカバレッジ構成を提供することは、より能力の高いネットワークのビームを送信し、装置の第２のグループに対するカバレッジを提供すること、および間隔使用装置に対するより能力の低いネットワークのカバレッジを提供することを含むことができる。いくつかの例では、図４Ａおよび４Ｂに示すように、装置の第１のグループに対して供給されるビームは、ビーム形状４４０を含むことができ、装置の第２のグループに対して供給されるビームは、ビーム形状４５０を含むことができ、より能力の低いネットワークのカバレッジは、ネットワークカバレッジ４９０を含むことができる。
【００５７】
方法５００で論じるように、カバレッジ構成のうちの１つが、１つまたは複数の連続使用装置に対するカバレッジを提供することのできるナロービーム形状を含むように、３つ以上のカバレッジ構成を利用することができる。一般には、以下の構成を経時的に循環させることができるように、図示する構成と同様に任意の数のカバレッジ構成を使用することができる。すべての装置のサブセットに対するより能力の高いネットワークタイプの比較的広いビームのカバレッジの任意の数の位相、および残りの（または位相が一致しない）装置に対するより能力の低いネットワークによるカバレッジと、連続使用装置（複数可）をカバーすることのできるより能力の高いネットワークの比較的狭いビーム形状、および残りの間隔使用装置に対するより能力の低いネットワークによるカバレッジを含むことができるカバレッジ構成。いくつかの例では、カバレッジ構成数は、経時的に同一でよい。いくつかの例では、カバレッジ構成数は経時的に変化することがある。いくつかの例では、いくつかのサイクルは、図１Ａおよび１Ｂのカバレッジ構成を含むことができ、別のサイクルは、図４Ａ、４Ｂ、および４Ｃのカバレッジ構成を含むことができる。各サイクル中にどのカバレッジ構成を使用することができるかの判定は、エリア内の装置数、連続使用装置数、連続使用装置の位置などに基づくことができる。
【００５８】
図６に、本開示の少なくともいくつかの実施形態に従って構成された例示的コンピュータプログラム製品６００を示す。コンピュータプログラム製品６００は、実行されたとき、本明細書で論じるプロセスおよび方法による装置電源管理をマシンに提供させる複数の命令がその中に格納された機械可読非一時的媒体を含むことができる。コンピュータプログラム製品６００は信号担持媒体６０２を含むことができる。信号担持媒体６０２は、１つまたは複数のプロセッサによって実行されたとき、コンピューティングデバイスが図２、図３、および／または図５に関して本明細書で説明した機能、あるいは本明細書で論じた機能のいずれかを提供することを動作可能に可能にする１つまたは複数の機械可読命令６０４を含むことができる。いくつかの例では、図２および図５の方法を参照すると、アンテナ１２０を制御する装置は、媒体４０２によって伝達される命令４０４に応答して、図２および／または図５に示す動作のうちの１つまたは複数を請け負うことができる。いくつかの例では、図３の方法を参照すると、本明細書で論じた装置のいずれかなどの間隔使用装置が、媒体４０２によって伝達される命令４０４に応答して、図３に示す動作のうちの１つまたは複数を引き受けることができる。
【００５９】
いくつかの実装では、信号担持媒体６０２は、限定はしないが、ハードディスクドライブ、コンパクトディスク（ＣＤ）、デジタルバーサタイルディスク（ＤＶＤ）、デジタルテープ、メモリなどのコンピュータ可読媒体６０６を包含することができる。いくつかの実装では、信号担持媒体６０２は、限定はしないが、メモリ、読取り／書込み（Ｒ／Ｗ）ＣＤ、Ｒ／Ｗ  ＤＶＤなどの記録可能媒体６０８を包含することができる。いくつかの実装では、信号担持媒体６０２は、限定はしないが、デジタルおよび／またはアナログ通信媒体（例えば、光ファイバケーブル、導波路、ワイヤード通信リンク、ワイヤレス通信リンクなど）などの通信媒体６１０を包含することができる。いくつかの例では、信号担持媒体６０２は機械可読非一時的媒体を包含することができる。
【００６０】
図７は、本開示の少なくともいくつかの実施形態に従って構成された例示的コンピューティングデバイス７００を示すブロック図である。様々な例では、本明細書で論じたネットワークカバレッジ動作または装置更新オプションを提供するようにコンピューティングデバイス７００を構成することができる。いくつかの例では、コンピューティングデバイス７００を本明細書で論じた間隔使用装置として構成することができ、図３に関して論じた機能および動作を提供することができる。いくつかの例では、コンピューティングデバイス７００を本明細書で論じたアンテナコントローラとして構成することができ、図２および／または図５に関して論じた機能および動作を提供することができる。１つの例示的基本構成７０１では、コンピューティングデバイス７００は、１つまたは複数のプロセッサ７１０およびシステムメモリ７２０を含むことができる。メモリバス７３０を使用して、プロセッサ７１０とシステムメモリ７２０との間で通信することができる。
【００６１】
所望の構成に応じて、プロセッサ７１０は、限定はしないが、マイクロプロセッサ（μＰ）、マイクロコントローラ（μＣ）、デジタル信号プロセッサ（ＤＳＰ）、またはそれらの任意の組合せを含む任意のタイプでよい。プロセッサ７１０は、レベル１キャッシュ７１１およびレベル２キャッシュ７１２などの１つまたは複数のレベルのキャッシング、プロセッサコア７１３、およびレジスタ７１４を含むことができる。プロセッサコア７１３は、演算論理ユニット（ＡＬＵ）、浮動小数点ユニット（ＦＰＵ）、デジタル信号処理コア（ＤＳＰコア）、またはそれらの任意の組合せを含むことができる。メモリコントローラ７１５をプロセッサ７１０と共に使用することもでき、またはいくつかの実装では、メモリコントローラ７１５はプロセッサ７１０の内部部品でよい。
【００６２】
所望の構成に応じて、システムメモリ７２０は、限定はしないが、揮発性メモリ（ＲＡＭなど）、不揮発性メモリ（ＲＯＭ、フラッシュメモリなど）、またはそれらの任意の組合せを含む任意のタイプでよい。システムメモリ７２０は、オペレーティングシステム７２１、１つまたは複数のアプリケーション７２２、およびプログラムデータ７２４を含むことができる。アプリケーション７２２は、本明細書に記載の機能ブロック、アクション、および／または動作を含む、本明細書に記載の機能、アクション、および／または動作を実施するように構成することのできる循環カバレッジまたは循環更新アプリケーション７２３を含むことができる。プログラムデータ７２４は、アプリケーション７２３と共に使用するための循環カバレッジまたは循環更新データ７２５を含むことができる。いくつかの例示的実施形態では、オペレーティングシステム７２１上のプログラムデータ７２４と共に動作するようにアプリケーション７２２を構成することができる。図７では、この記載の基本構成を破線７０１内の構成要素によって示す。
【００６３】
コンピューティングデバイス７００は、追加の特徴または機能、ならびに基本構成７０１と任意の必要な装置およびインターフェースとの間の通信を可能にする追加のインターフェースを有することができる。例えば、バス／インターフェースコントローラ７４０を使用して、ストレージインターフェースバス７４１を介して基本構成７０１と１つまたは複数のデータ記憶装置７５０との間の通信を可能にすることができる。データ記憶装置７５０は、取外し式記憶装置７５１、非取外し式記憶装置７５２、またはそれらの組合せでよい。取外し式記憶装置および非取外し式記憶装置の例は、いくつかの例を挙げれば、フレキシブルディスクドライブやハードディスクドライブ（ＨＤＤ）などの磁気ディスクデバイス、コンパクトディスク（ＣＤ）ドライブやデジタルバーサタイルディスク（ＤＶＤ）ドライブなどの光ディスクドライブ、ソリッドステートドライブ（ＳＳＤ）、およびテープドライブを含む。例示的コンピュータ記憶媒体は、コンピュータ可読命令、データ構造、プログラムモジュール、他のデータなどの情報の記憶のための任意の方法または技術で実装された、揮発性および不揮発性の取外し式および非取外し式媒体を含むことができる。
【００６４】
システムメモリ７２０、取外し式ストレージ７５１、および非取外し式ストレージ７５２はすべて、コンピュータ記憶媒体の例である。コンピュータ記憶媒体は、限定はしないが、ＲＡＭ、ＲＯＭ、ＥＥＰＲＯＭ、フラッシュメモリ、または他のメモリ技術、ＣＤ−ＲＯＭ、デジタルバーサタイルディスク（ＤＶＤ）、または他の光ストレージ、磁気カセット、磁気テープ、磁気ディスクストレージ、または他の磁気記憶装置、あるいは所望の情報を記憶するのに使用することができ、コンピューティングデバイス７００によってアクセスすることのできる任意の他の媒体を含む。任意のそのようなコンピュータ記憶媒体は装置７００の一部でよい。
【００６５】
コンピューティングデバイス７００はまた、バス／インターフェースコントローラ７４０を介する様々なインターフェース装置（例えば、出力インターフェース、周辺インターフェース、および通信装置）から基本構成７０１への通信を可能にするインターフェースバス７４２をも含むことができる。例示的出力インターフェース７６０は、グラフィック処理ユニット７６１およびオーディオ処理ユニット７６２を含み、１つまたは複数のＡ／Ｖポート７６３を介してディスプレイやスピーカなどの様々な外部装置に通信するようにグラフィック処理ユニット７６１およびオーディオ処理ユニット７６２を構成することができる。例示的周辺インターフェース７７０は、シリアルインターフェースコントローラ７７１またはパラレルインターフェースコントローラ７７２を含み、１つまたは複数のＩ／Ｏポート７７３を介して入力装置（例えば、キーボード、マウス、ペン、音声入力装置、タッチ入力装置など）や他の周辺装置（例えば、プリンタ、スキャナなど）などの外部装置と通信するようにシリアルインターフェースコントローラ７７１またはパラレルインターフェースコントローラ７７２を構成することができる。例示的通信インターフェース７８０はネットワークコントローラ７８１を含み、１つまたは複数の通信ポート７８２を通じて、ネットワーク通信を介して１つまたは複数の他のコンピューティングデバイス７８３との通信を可能にするようにネットワークコントローラ７８１を構成することができる。通信接続は通信媒体の一例である。通信媒体は通常、搬送波や他の移送機構などの被変調データ信号中のコンピュータ可読命令、データ構造、プログラムモジュール、または他のデータによって実施することができ、任意の情報配信媒体を含むことができる。「被変調データ信号」は、信号中に情報を符号化するような方式でその特徴のうちの１つまたは複数を設定または変化させる信号でよい。限定ではなく例として、通信媒体は、ワイヤードネットワークやダイレクトワイヤード接続などのワイヤード媒体と、音響媒体、無線周波数（ＲＦ）媒体、赤外線（ＩＲ）媒体、他のワイヤレス媒体などのワイヤレス媒体とを含むことができる。本明細書で使用するコンピュータ可読媒体という用語は、記憶媒体と通信媒体のどちらも含むことができる。
【００６６】
コンピューティングデバイス７００は、セル電話、携帯電話、タブレット装置、ラップトップコンピュータ、携帯情報端末（ＰＤＡ）、パーソナルメディアプレーヤ装置、ワイヤレスウェブ視聴装置、パーソナルヘッドセット装置、特定用途向け装置、上記の機能のいずれかを含むハイブリッドデバイスなどの小型形状因子ポータブル（またはモバイル）電子デバイスの一部として実装することができる。コンピューティングデバイス７００はまた、ラップトップコンピュータ構成と非ラップトップコンピュータ構成のどちらも含むパーソナルコンピュータとして実装することもできる。さらに、コンピューティングデバイス７００は、ワイヤレス基地局または他のワイヤレスシステムもしくは装置の一部として実装することができる。
【００６７】
上記の詳細な説明のいくつかの部分が、コンピュータメモリなどのコンピューティングシステムメモリ内に格納されたデータビットまたは２進デジタル信号に対する演算のアルゴリズムまたは記号表現によって提示される。こうしたアルゴリズム的記述または表現は、データ処理技術の技術者が他の当業者に研究の主旨を伝えるために使用される技法の例である。ここでは、かつ一般に、アルゴリズムは、所望の結果に導く首尾一貫した一続きの演算または類似の処理とみなされる。この状況では、演算または処理は、物理量の物理的操作に関係する。通常、必須ではないが、そのような量は、格納、転送、組合せ、比較、あるいは操作することのできる電気信号または磁気信号の形を取ることができる。時には、主に一般的な用法のために、そのような信号をビット、データ、値、要素、シンボル、文字、項、数、数字、情報などと呼ぶことが好都合であることが判明している。しかし、こうした用語または類似の用語のすべては、適切な物理量に関連付けられるべきであり、単に好都合な符号に過ぎないことを理解されたい。以下の議論から明らかなように、別段の記述がない限り、本明細書全体を通して、「処理」、「計算」、「決定」などの用語を用いた議論は、コンピューティングデバイスのメモリ、レジスタ、または他の情報記憶装置、送信装置、またはディスプレイ装置の物理的な電子または磁気量として表されるデータを操作または変換するコンピューティングデバイスのアクションまたはプロセスを指すことを理解されたい。
【００６８】
前述の詳細な説明では、ブロック図、フローチャート、および／または例の使用によって、装置および／またはプロセスの様々な実施形態を説明してきた。そのようなブロック図、フローチャート、および／または例が１つまたは複数の機能および／または動作を含む限りにおいて、そのようなブロック図、フローチャート、または例の中のそれぞれの機能および／または動作は、広範囲のハードウェア、ソフトウェア、ファームウェア、または実質上それらのすべての組合せにより、個別におよび／または集合的に実装可能であることが、当業者には理解されるであろう。いくつかの実施形態では、本明細書に記載された主題のいくつかの部分は、特定用途向け集積回路（ＡＳＩＣ）、フィールドプログラマブルゲートアレイ（ＦＰＧＡ）、デジタルシグナルプロセッサ（ＤＳＰ）、または他の集積化方式によって実装することができる。しかし、本明細書で開示された実施形態のいくつかの態様が、全体においてまたは一部において、１つまたは複数のコンピュータ上で動作する１つまたは複数のコンピュータプログラムとして（例えば、１つまたは複数のコンピュータシステム上で動作する１つまたは複数のプログラムとして）、１つまたは複数のプロセッサ上で動作する１つまたは複数のプログラムとして（例えば、１つまたは複数のマイクロプロセッサ上で動作する１つまたは複数のプログラムとして）、ファームウェアとして、あるいは実質上それらの任意の組合せとして、等価に集積回路に実装することができることを、当業者は認識するであろうし、電気回路の設計ならびに／またはソフトウェアおよび／もしくはファームウェアのコーディングが、本開示に照らして十分当業者の技能の範囲内であることを、当業者は認識するであろう。さらに、本明細書に記載された主題のメカニズムを様々な形式のプログラム製品として配布することができることを、当業者は理解するであろうし、本明細書に記載された主題の例示的な実施形態が、実際に配布を実行するために使用される信号伝達媒体の特定のタイプにかかわらず適用されることを、当業者は理解するであろう。信号伝達媒体の例には、フレキシブルディスク、ハードディスクドライブ（ＨＤＤ）、コンパクトディスク（ＣＤ）、デジタル多用途ディスク（ＤＶＤ）、デジタルテープ、コンピュータメモリ、などの記録可能なタイプの媒体、ならびに、デジタル通信媒体および／またはアナログ通信媒体（例えば、光ファイバケーブル、導波管、有線通信リンク、無線通信リンクなど）の通信タイプの媒体が含まれるが、それらには限定されない。
【００６９】
本明細書に記載された主題は、様々なコンポーネントをしばしば例示しており、これらのコンポーネントは、他の様々なコンポーネントに包含されるか、または他の様々なコンポーネントに接続される。そのように図示されたアーキテクチャは、単に例にすぎず、実際には、同じ機能を実現する多くの他のアーキテクチャが実装可能であることが理解されよう。概念的な意味で、同じ機能を実現するコンポーネントの任意の構成は、所望の機能が実現されるように効果的に「関連付け」される。したがって、特定の機能を実現するために組み合わされた、本明細書における任意の２つのコンポーネントは、アーキテクチャまたは中間のコンポーネントにかかわらず、所望の機能が実現されるように、お互いに「関連付け」されていると見ることができる。同様に、そのように関連付けされた任意の２つのコンポーネントは、所望の機能を実現するために、互いに「動作可能に接続」または「動作可能に結合」されているとみなすこともでき、そのように関連付け可能な任意の２つのコンポーネントは、所望の機能を実現するために、互いに「動作可能に結合できる」とみなすこともできる。動作可能に結合できる場合の具体例には、物理的にかみ合わせ可能な、および／もしくは物理的に相互作用するコンポーネント、ならびに／またはワイヤレスに相互作用可能な、および／もしくはワイヤレスに相互作用するコンポーネント、ならびに／または論理的に相互作用する、および／もしくは論理的に相互作用可能なコンポーネントが含まれるが、それらに限定されない。
【００７０】
本明細書における実質的にすべての複数形および／または単数形の用語の使用に対して、当業者は、状況および／または用途に適切なように、複数形から単数形に、および／または単数形から複数形に変換することができる。様々な単数形／複数形の置き換えは、理解しやすいように、本明細書で明確に説明することができる。
【００７１】
通常、本明細書において、特に添付の特許請求の範囲（例えば、添付の特許請求の範囲の本体部）において使用される用語は、全体を通じて「オープンな（ｏｐｅｎ）」用語として意図されていることが、当業者には理解されよう（例えば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。例えば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む発明に限定する、ということを示唆していると解釈されるべきではない（例えば、「ａ」および／または「ａｎ」は、通常、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、通常、少なくとも記載された数を意味すると解釈されるべきであることが、当業者には理解されよう（例えば、他の修飾語なしでの「２つの記載（ｔｗｏ  ｒｅｃｉｔａｔｉｏｎｓ）」の単なる記載は、通常、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（例えば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（例えば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。例えば、句「ＡまたはＢ」は、「Ａ」または「Ｂ」あるいは「ＡおよびＢ」の可能性を含むことが理解されよう。
【００７２】
様々な方法およびシステムを使用して、本明細書でいくつかの例示的技法を説明し、図示したが、特許請求される主題から逸脱することなく、様々な他の修正を行うことができ、均等物を代用できることを当業者は理解されよう。さらに、本明細書に記載の中心的概念から逸脱することなく、特許請求される主題の教示に特定の状況を適合させるように多数の修正を行うことができる。したがって、特許請求される主題は、開示される特定の例に限定されず、そのような特許請求される主題は、添付の特許請求の範囲の範囲内に包含されるすべての態様およびその均等物をも含むことができるものとする。
【図１Ａ】
0005798687.tif 000002
【図１Ｂ】
0005798687.tif 000003
【図２】
0005798687.tif 000004
【図３】
0005798687.tif 000005
【図４Ａ】
0005798687.tif 000006
【図４Ｂ】
0005798687.tif 000007
【図４Ｃ】
0005798687.tif 000008
【図５】
0005798687.tif 000009
【図６】
0005798687.tif 000010
【図７】
0005798687.tif 000011